(57)【要約】      （修正有）【課題】排除すべき円板体の受け入れを確実に阻止するとともに、異物に対してもその侵入を確実に阻止するようにした円板体選別装置を提供する。【解決手段】円板体案内通路Ｂを通過する円板体５０の上方に当接して該円板体の姿勢を変えることで前記円板体案内通路Ｂから円板体５０を排除する突起部３８と、該突起部３８より円板体案内通路Ｂの下流に配置され円板体案内通路Ｂの全幅を遮断して円板体５０の通過を阻止して排除するシャッタ３７とから構成される円板体強制排除手段３０を配設するようにした。【選択図】図１３
2011003014.tif 000002
【特許請求の範囲】
【請求項１】
円板体を投入する投入口と、該投入口から投入された円板体を転送させる円板体案内通路と、該円板体案内通路に設けられ、真正な円板体とは外径の異なる円板体を円板体案内通路から排除するとともに真正な円板体を通過可能にする円板体外径選別機構と、前記円板体案内通路の前記円板体外径選別機構の下流側に設けられ、前記円板体案内通路を通過する円板体を該円板体案内通路から強制的に排除する円板体強制排除手段とを具える円板体選別装置において、
前記円板体強制排除手段は、ソレノイドと、該ソレノイドの駆動に応じて前記円板体案内通路へ出没自在であって、該円板体案内通路に突出時に該円板体案内通路を通過する円板体上方に当接して円板体の姿勢を変えることで該円板体案内通路から円板体を排除する突起部と、該突起部より前記円板体案内通路の下流に配置され該突起部と連動して該円板体案内通路へ突出し、前記円板体案内通路全幅を遮断して円板体の通過を阻止して排除するシャッタとを具えることを特徴とする円板体選別装置。
【請求項２】
前記円板体選別装置は、前記強制排除手段より上流に配設した円板体投入検知センサと、前記強制排除手段より下流に配設した円板体受入検知センサとを具え、該円板体投入検知センサが円板体を検知してから所定時間以内に円板体受入検知センサが円板体の受入を検知しない場合は、シャッタにより前記円板体案内通路の全幅を遮断することを特徴とする請求項１に記載の円板体選別装置。
【請求項３】
前記円板体選別装置は、前記円板体案内通路に配設され、投入された円板体と当接し、かつ該当接する円板体の板厚に応じて姿勢を変化させ、投入された円板体の板厚を規制し、真正な円板体より厚い円板体の通過を阻止する円板体厚み規制レバーを具え、前記円板体投入センサは、前記円板体厚み規制レバーの姿勢の変化を検知することを特徴とする請求項２に記載の円板体選別装置。
【発明の詳細な説明】
【技術分野】
【０００１】
この発明は、硬貨、代用硬貨（トークン）、あるいは遊戯用メダル等の円板体の真偽を判別し、それを選別する円板体選別装置に関する。
【背景技術】
【０００２】
従来から、スロットマシーン等の遊戯用機械内には、円板体投入口から投入された円板体（硬貨、あるいは遊戯用メダル等）を、その外径や厚さに基づいて真偽を判別し、真円板体と見做された円板体を収容するとともに、偽円板体と見做された円板体を排除するようにした円板体選別装置が配設されている。
【０００３】
この従来の円板体選別装置は、円板体投入口から投入された円板体を転送させる円板体案内通路と、この円板体案内通路の途中に配設され、外径の差異により円板体の真偽を判別して、外径が真正である円板体を受入通路側へ案内するとともに、それ以外の外径のものを返却側へ排除する円板体外径選別機構と、上述した円板体案内通路内を転送する円板体を強制的に排除する円板体強制排除手段とから構成されている。
【０００４】
このうち、円板体強制排除手段はソレノイドによって駆動され、前記円板体選別装置を制御する制御装置からの信号に応じて、投入円板体を受け入れる時は、ソレノイドの吸引によって突起部が円板体案内通路外へ待避し、円板体を円板体案内通路から排除して返却する時は、ソレノイドの吸引を停止させることによって前記突起部が円板体案内通路内へ突出し、円板体案内通路内に突出した突起部が円板体を付勢し円板体の姿勢を変えて強制的に円板体案内通路から返却側へと円板体を排除するものである。
【０００５】
また、円板体選別装置の円板体案内通路に配設された円板体強制排除手段の下流には、受入検知センサが配設されており、受入検知センサが円板体を検知すると、制御装置に対して真正な円板体の受け入れを通知する信号を送る。
【０００６】
このような円板体選別装置を搭載した遊技用機械は、受入検知センサによって円板体の受け入れを検知するとともにこの円板体の受入信号に基づいて所定の遊技を提供するようになっている。
【０００７】
また、遊技用機械は、円板体選別装置が受け入れた円板体の枚数をカウントしており、所定の枚数の円板体をカウントすると、以後円板体を受け入れないように円板体強制排除手段に対して排除信号を送り、ソレノイドの吸引を停止させるようにしているものである。
【先行技術文献】
【特許文献】
【０００８】
【特許文献１】特許３８６４３８８号公報
【特許文献２】特開２００４−３３４７７０号公報
【特許文献３】特開２００４−３３４７７１号公報
【特許文献４】特開２００７−２５７１６７号公報
【発明の概要】
【発明が解決しようとする課題】
【０００９】
ところで上述した従来の円板体選別装置に使用される円板体強制排除手段によると、円板体が高速で投入された場合、円板体案内通路内に突出した突起部の付勢に抗して排除すべき円板体が受入通路下流へと通過してしまう虞があった。
【００１０】
また、従来の円板体選別装置では、円板体をカウントさせる不正な器具が投入口から挿入されると、突起部の付勢に抗して不正器具が受入通路下流に侵入し、実際は円板体を受け入れていないにも係わらず、受入信号を送り、不正にカウントする虞があった。
【００１１】
この発明は、上述した事情に鑑み、排除すべき円板体が高速で投入された場合でも、その排除すべき円板体の受け入れを確実に阻止できるとともに、異物に対しても確実にその侵入を阻止することができるようにした円板体選別装置を提供することを目的とする。
【課題を解決するための手段】
【００１２】
上述した課題を解決するため、この発明では、円板体を投入する投入口と、該投入口から投入された円板体を転送させる円板体案内通路と、該円板体案内通路に設けられ、真正な円板体とは外径の異なる円板体を円板体案内通路から排除するとともに真正な円板体を通過可能にする円板体外径選別機構と、前記円板体案内通路の前記円板体外径選別機構の下流側に設けられ、前記円板体案内通路を通過する円板体を該円板体案内通路から強制的に排除する円板体強制排除手段とを具える円板体選別装置において、前記円板体強制排除手段は、ソレノイドと、該ソレノイドの駆動に応じて前記円板体案内通路へ出没自在であって、該円板体案内通路に突出時に該円板体案内通路を通過する円板体上方に当接して円板体の姿勢を変えることで該円板体案内通路から円板体を排除する突起部と、該突起部より前記円板体案内通路の下流に配置され該突起部と連動して該円板体案内通路へ突出し、円板体案内通路全幅を遮断して円板体の通過を阻止して排除するシャッタとを具えている。
【発明の効果】
【００１３】
この発明の円板体選別装置では、円板体強制排除手段を、円板体案内通路を通過する円板体上方に当接して円板体の姿勢を変えることで該円板体案内通路から円板体を排除する突起部と、この突起部より円板体案内通路の下流に配置され円板体案内通路全幅を遮断して円板体の通過を阻止して排除するシャッタとから構成するようにしたため、円板体の排除時には、突起部により排除対象の円板体の姿勢を変化させ、同時に、円板体案内通路の全幅を遮断することができ、このため円板体が高速に投入された場合であっても、確実に円板体を円板体案内通路内から排除することができる。また、円板体案内通路の全幅が遮断されるため、異物に対しても確実にその侵入を阻止することができる。
【００１４】
またこの発明では、突起部とシャッタが連動して円板体案内通路へ出没するようにしたため、一つのソレノイドで円板体排除手段を駆動することができる。
【図面の簡単な説明】
【００１５】
【図１】図１はこの発明に係わる円板体選別装置の正面図。
【図２】図２はゲートプレートを拡開した状態を示す円板体選別装置の斜視図。
【図３】図３は円板体投入検知センサ非作用時を示す図１の概略ＣＣ断面図。
【図４】図４は円板体投入検知センサ作用時を示す図１の概略ＣＣ断面図。
【図５】図５は円板体強制排除手段の斜視図。
【図６】図６はシャッタおよび突起部を構成する部品の斜視図。
【図７】図７は円板体案内通路の開放状態を示す円板体強制排除手段の正面図。
【図８】図８は図７のＤＤ断面図。
【図９】図９は円板体案内通路の遮断状態を示す円板体強制排除手段の正面図。
【図１０】図１０は図９のＥＥ断面図。
【図１１】図１１は真円板体を投入した円板体選別装置の主要部を示す正面図。
【図１２】図１２は真円板体の通過状態を示す図１１のＦＦ断面図。
【図１３】図１３は真円板体の通過阻止状態を示す図１１のＦＦ断面図。
【発明を実施するための形態】
【００１６】
以下、この発明に係わる円板体選別装置を詳述する。
図１は、この発明に係わる円板体選別装置１の正面図である。
【００１７】
この円板体選別装置１は、プラスチック等の合成樹脂等で形成された矩形状のメインプレート２と、このメインプレート２の略上方を開閉自在に覆うこれもプラスチック等の合成樹脂等で形成されたゲートプレート３とから構成されている。
【００１８】
ゲートプレート３の上縁３ａと、メインプレート２の上方２ａとの間、およびゲートプレート３の下縁３ｂと、メインプレート２の下方２ｂとの間には、ゲートプレート３の回動位置に応じて当該ゲートプレート３に対する付勢力の方向が変化するゲートプレート付勢手段６がそれぞれ配設され、ゲートプレート３はその右側方に配設された軸５を介し、メインプレート２に対し回動自在に支承されている。
【００１９】
前記ゲートプレート付勢手段６は、ゲートプレート３が軸５を中心に所定の回転角度に至る間は前記ゲートプレート３に対し前記メインプレート２を閉塞する方向へ付勢力を作用させるものであり、ゲートプレート３がメインプレート２を閉塞している状態において、ゲートプレート３とメインプレート２との間に、円板体投入口７から投入された円板体５０を下方に案内する円板体案内通路Ａと、この円板体案内通路Ａの下流端に連通し、前記円板体５０を図面右斜め方向へ案内する円板体案内通路Ｂとを形成している。
【００２０】
図２は、ゲートプレート３を拡開してメインプレート２を拡開した状態を示す斜視図である。
ゲートプレート３の円板体案内通路Ａ内には、円板体投入口７内に投入された円板体に当接し、その落下速度を調整する円板体落下速度緩和手段１０が配設されており、ゲートプレート３の下端には、前記円板体案内通路Ｂの下面を構成するステンレス等の金属等で形成された一本の円柱状の傾斜転送レール２１が配設されている。
【００２１】
また、円板体案内通路Ｂ内には、当該円板体案内通路Ｂ内を転送する円板体をその外径の差異により円板体の真偽を判別して、外径が真正の円板体を受入通路側へと案内するとともに、それ以外の外径のものを返却側へと排除する円板体外径選別機構２０が配設されており、該円板体外径選別機構２０は、前記傾斜転送レール２１に沿って形成された切り欠２２と、円板体の進行方向に対し、外側へ傾斜した傾斜壁２３とを有する。
【００２２】
一方、メインプレート２の円板体案内通路Ａの下流端には、投入された円板体と当接し、かつ該当接する円板体の板厚に応じて姿勢を変化させ、投入された円板体の板厚を規制し、真円板体より厚い円板体の通過を阻止する円板体厚み規制レバー２４が揺動自在に支承され、投入された円板体をゲートプレート３の前記切り欠２２側へ傾斜させるようにしている。
【００２３】
また、円板体案内通路Ｂに配設された円板体外径選別機構２０の下流に、上述した円板体案内通路Ｂ内を転送する円板体を強制的に排除する円板体強制排除手段３０が配設されている。なお、この円板体強制排除手段３０については後に詳述する。
【００２４】
さらに、前記強制排除手段３０より上流のメインプレート２の背面には、円板体が通過する際に前記円板体厚み規制レバー２４の姿勢が変化することを検知し、円板体の投入を検知する円板体投入検知センサ２５（図３，４参照）が配設されており、前記強制排除手段３０より下流には、円板体の通過枚数を検出する円板体受入検出センサ２６が配設されている。
【００２５】
図３は、図１に示す円板体選別装置の概略ＣＣ断面図であり、円板体５０が投入される前、すなわち円板体厚み規制レバー２４がインターラプタースイッチである円板体投入検知センサ２５に作用していない状態を示している。上述した円板体厚み規制レバー２４は、軸２７を中心に回動自在に配設されており、図３に示すように、常時はコイルバネ２８の付勢力により、円板体案内通路Ａ内に突出し、該円板体案内通路Ａのメインプレート２とゲートプレート３が対向する方向の全幅を遮断している。このため、円板体投入口７から投入された物体は、必ず円板体厚み規制レバー２４に当接する。
【００２６】
一方、図４は、図１に示す円板体選別装置の概略ＣＣ断面図であり、円板体５０が投入された後、投入された円板体５０が円板体厚み規制レバー２４を押し、該円板体厚み規制レバー２４の裏側突起が、インターラプタースイッチである円板体投入検知センサ２５に作用している状態を示している。
このように、円板体投入検知センサ２５は、該円板体厚み規制レバー２４の動作に連動してＯＮ、ＯＦＦするように配設されている。
【００２７】
次に上述した円板体強制排除手段３０について詳述する。
図５は図２に示す円板体強制排除手段３０のみを図示した斜視図であり、この円板体強制排除手段３０は、図示せぬメインプレート２に固着されたＬ字形状金具３１の先端に、軸３２を中心に回動自在に支承された円板体排除レバー３３を有している。
【００２８】
この円板体排除レバー３３は、該円板体排除レバー３３の上端３３ａとＬ字形状金具３１の突起３１ａとの間を連結するコイルバネ３４の付勢力により、常時は軸３２を中心に、円板体の進行方向（矢印Ｂ）を中心に反時計回りに回転し、前記円板体排除レバー３３の下端３３ｂを円板体案内通路Ｂに突出させている。
【００２９】
また、上述したＬ字形状金具３１にはソレノイド４０が固着されており、ソレノイドを吸引させると前記円板体排除レバー３３が、軸３２を中心に、円板体の進行方向を中心に時計回りに回転し、前記円板体排除レバー３３の下端３３ｂを円板体案内通路Ｂから待避させるようにしている。
【００３０】
さらに、円板体強制排除手段３０は、円板体排除レバー３３と対向する位置に、円板体排除レバー３３に固着された円板体案内レバー３５を有している。該円板体案内レバー３５は、常時は前記円板体案内通路Ｂ外に向けて付勢されており、ソレノイド４０を吸引させると、前記円板体排除レバー３３と連動して軸３２を中心に円板体の進行方向を中心に時計回りに回転し、該円板体案内レバー３５の下端３５ａが前記円板体案内通路Ｂの右側壁の一部を形成するようにしている。
【００３１】
一方、前記円板体案内通路Ｂに配設された前記円板体外径選別機構２０の下流には、軸３６を中心に回動自在に支承されたシャッタ３７が配設されており、前記円板体案内通路Ｂの左側壁の一部を形成している。該シャッタ３７は、前記円板体案内通路Ｂへ出没自在であって、前記シャッタ３７より前記円板体案内通路Ｂの上流に配設された突起部３８と、連結部３９を介して連結されている。なお、図６に示すとおり、前記突起部３８および前記連結部３９は、前記シャッタ３７と同一体であるので、該シャッタと連動して軸３６を中心に回動する。
【００３２】
また、前記連結部は、前記円板体排除レバー３３の下面３３ｃに形成された孔３３ｄ（図８，１０参照）に緩挿されており、前記突起部３８および前記シャッタ３７は、前記円板体排除レバー３３の下端３３ｂと連動して円板体案内通路Ｂに出没させるようにしている。
【００３３】
図７および図７のＤＤ断面図に示す図８のように、シャッタ３７および突起部３８が円板体案内通路Ｂ内から待避している状態では、シャッタ３７の壁面３７ａおよび円板体案内レバー３５の下端３５ａは円板体案内通路Ｂの円板体の進行方向に対して平行になり、一方、図９および図９のＥＥ断面図に示す図１０のように、シャッタ３７および突起部３８が円板体案内通路Ｂ内へ突出している状態では、シャッタ３７が軸３６を中心に回動し、シャッタ３７の遮断面３７ｂが円板体案内通路Ｂを遮断するとともに、突起部３８が円板体案内通路Ｂの下流に向かって傾斜するようにしている。
【００３４】
次に、上述した円板体選別装置１の作用を説明し、併せて構成をより詳細に説明する。
図１１は真円板体５０を投入した円板体選別装置１の主要部を示す正面図であり、前記円板体選別装置１は、図示せぬ制御装置の駆動信号により、図１２のように、ソレノイド４０の吸引によって、円板体排除レバー３３の下端３３ｂとともに、シャッタ３７および突起部３８が、円板体案内通路Ｂ内から待避し、それに連動して円板体案内レバー３５の下端３５ａが円板体案内通路Ｂの右側壁の一部を形成する。
【００３５】
このように、円板体強制排除手段３０により円板体案内通路Ｂの一部が形成されると、円板体案内通路Ｂの下流へ向かい転送する真円板体５０は、円板体案内レバー３５の先端３５ａに沿ってスムーズに円板体案内通路Ｂの下流へ向け転送され、図２に示す円板体受入検知センサ２６に検出される。
【００３６】
この検出信号は前記制御装置に伝達され、その枚数がカウントされる。カウントされた円板体が所定の枚数に達すると、以後円板体を受け入れないように円板体強制排除手段３０に対して排除信号を送信する。
【００３７】
前記制御装置が排除信号を送ると、図１３のように、ソレノイド４０の吸引を停止させることによって、円板体排除レバー３３がコイルバネ３４の付勢力により軸３２を中心に反時計方向へ回転し、その下端３３ｂとともに、シャッタ３７および突起部３８が円板体案内通路Ｂ内へ突出し、また、この円板体排除レバー３３の動きに連動して円板体案内レバー３５が軸３２を中心に反時計方向へ回転して、円板体案内通路Ｂの右側方が解放される。
【００３８】
このように、円板体強制排除手段３０のシャッタ３７が円板体案内通路Ｂの通路全幅を遮断して円板体の通過を阻止し、また、円板体案内レバー３５が円板体案内通路Ｂの右側方を解放すると、円板体案内通路Ｂの下流に向けて転送する真円板体５０の上方は、まず最初に突起部３８に当接し、さらに該突起部３８に沿って、傾斜壁２３側へ倒れてその姿勢を変更する。その際、上述したように、円板体案内レバー３５は円板体排除レバー３３に固着されているため、該円板体排除レバー３３に連動して軸３２を中心に反時計方向へ回転し、円板体案内通路Ｂの右側方を解放するので、真円板体５０はシャッタ３７に至る前にスムーズに傾斜壁２３側に倒れることになる。真円板体５０がシャッタに至る前に、突起部３８により傾斜壁２３側に倒れるため、真円板体５０がシャッタ３７および突起部３８と円板体案内レバー３５との間に挟まれて円板体の詰まりを起こすこともない。該真円板体５０が傾斜壁２３側へ倒れてその姿勢を変更すると、その外径の下端が傾斜転送レール２１から脱落するので、真円板体５０は傾斜転送レール２１の左側方から下方へ落下して強制的に排除され、返却される。
【００３９】
さらに、円板体がシャッタ３７に至る前に突起部３８により姿勢を変更して傾斜壁２３側に倒れ、かつ、前記シャッタ３７は円板体案内通路Ｂの全幅を遮断するため、排除すべき円板体が高速で投入された場合でも、その排除すべき円板体の受け入れを確実に阻止できるとともに、異物に対しても確実にその侵入を阻止することができる。
【００４０】
なお、円板体受入検知センサ２６に検知された円板体が所定の枚数に満たない場合でも、円板体投入検知センサ２５が円板体を検知してから所定時間以内に円板体受入検知センサ２６が円板体の受入を検知しない場合は、制御装置が円板体強制排除手段３０に対して排除信号を送信し、シャッタ３７により前記円板体案内通路Ｂの全幅を遮断する。このため、不正な器具等の異物が円板体案内通路Ｂの下流に侵入し、実際は円板体を受け入れていないにも係わらず、円板体受入検知センサ２６が円板体の受入信号を送信し、不正にカウントすることを阻止することができる。
【００４１】
また、円板体受入検知センサ２６に検知された円板体が所定の枚数に満たない場合でも、円板体投入検知センサ２５が円板体を検知してから所定時間以上円板体投入検知センサ２５が円板体を検知し続ける場合は、不正な器具等の異物の侵入と見做して制御装置が円板体強制排除手段３０に対して排除信号を送信し、シャッタ３７により前記円板体案内通路Ｂの全幅を遮断するようにしてもよい。
【産業上の利用可能性】
【００４２】
この発明は、排除すべき円板体の受け入れを確実に阻止するとともに、異物に対してもその侵入を確実に阻止するようにした円板体選別装置に適している。
【符号の説明】
【００４３】
１    円板体選別装置
２    メインプレート
３    ゲートプレート
２５  円板体投入検知センサ
２６  円板体受入検知センサ
３０    円板体強制排除手段
３３    円板体排除レバー
３５    円板体案内レバー
３７    シャッタ
３８    突起部
【図１】
2011003014.tif 000003
【図２】
2011003014.tif 000004
【図３】
2011003014.tif 000005
【図４】
2011003014.tif 000006
【図５】
2011003014.tif 000007
【図６】
2011003014.tif 000008
【図７】
2011003014.tif 000009
【図８】
2011003014.tif 000010
【図９】
2011003014.tif 000011
【図１０】
2011003014.tif 000012
【図１１】
2011003014.tif 000013
【図１２】
2011003014.tif 000014
【図１３】
2011003014.tif 000015